(57)【特許請求の範囲】
【請求項１】
受熱面を有する放熱体と、
一面が伝熱面として構成され、上記伝熱面が上記受熱面に接するように設けられるコアベース、及び上記コアベースに一体に形成されて、上記コアベースの他面から突出され、少なくとも一つに巻線が巻回される複数の足部を有する第１コア、並びに上記足部を介して上記コアベースと相対するように設けられる第２コアを有するコア体と、
上記放熱体に支持され、上記コア体の移動を規制するように上記コア体に接する保持手段と
を備え、
上記第２コアは、矩形平板状をなし、一面が上記足部を介して上記コアベースの他面に相対するように配置され、
上記保持手段は、
上記第２コアの各側面に対応して設けられ、それぞれが上記第２コアの側面の少なくとも一部から上記足部に至るように延在し、上記第１コア及び上記第２コアのスライド移動を規制するスライド移動規制手段と、
上記第２コアの他面に接して、上記第２コアと上記コアベースの間隔が広がる方向への上記第２コアの移動を規制する離反移動規制手段と
を備えていることを特徴とする電源装置。
【請求項２】
上記スライド移動規制手段の少なくとも一つが、上記離反移動規制手段から突出する爪状規制部であることを特徴とする請求項１に記載の電源装置。
【請求項３】
上記コアベースの他面と上記第２コアの一面との間に配置されて上記放熱体に支持される支持基板を備え、
上記スライド移動規制手段、及び上記離反移動規制手段は、上記支持基板に支持されることを特徴とする請求項１または請求項２に記載の電源装置。
【請求項４】
受熱面を有する放熱体と、
一面が伝熱面として構成され、上記伝熱面が上記受熱面に接するように設けられるコアベース、及び上記コアベースに一体に形成されて、上記コアベースの他面から突出され、少なくとも一つに巻線が巻回される複数の足部を有する第１コア、並びに上記足部を介して上記コアベースと相対するように設けられる第２コアを有するコア体と、
上記放熱体に支持され、上記コア体の移動を規制するように上記コア体に接する保持手段と
を備え、
上記保持手段は、
上記コア体が嵌め込まれるように上記受熱面に突設され、上記第１コア及び上記第２コアに接して上記コア体のスライド移動を規制する枠部材と、
上記第２コアの他面に接して、上記第２コアと上記コアベースの間隔が広がる方向に上記第２コアが移動することを規制する離反移動規制手段と
を備えていることを特徴とする電源装置。
【発明の詳細な説明】
【技術分野】
【０００１】
この発明は、巻線が巻き付けられるコア体と、コア体が取り付けられる放熱体とを有する電源装置に関する。
【背景技術】
【０００２】
従来のスイッチング電源装置は、巻線が巻回されるコアと、コアが取り付けられる放熱体とを備えている。
コアは、断面矩形の第１梁部、第１梁部の長手方向の中間部から突出される主足部、及び主足部を介して互いに相対するように第１梁部の長手方向の両端部から突出される一対の側足部を有するＥコアと、主足部及び側足部を介して第１梁部と相対するように、主足部及び側足部の先端面に取り付けられるＩコアとを有している。また、巻線は、主足部に巻回され、コアは、Ｉコアの一面を放熱体に接触させて放熱体に支持されている（例えば、特許文献１参照）。
【先行技術文献】
【特許文献】
【０００３】
【特許文献１】特開２００９−８８２５１号公報
【発明の概要】
【発明が解決しようとする課題】
【０００４】
従来のスイッチング電源装置において、ＥコアとＩコアは別部材であるので、側足部及び主足部の先端面の全域にＩコアを完全に密接させるのは困難となる。即ち、側足部及び主足部の先端面とＩコアとの間には、微量ながら空気が入りこむため、ＥコアからＩコアへの熱伝導性が悪くなる。
【０００５】
ここで、巻線が巻回される主足部は、放熱性が悪く、特に高温になりやすい部位である。また、Ｅコアから放熱体に熱を伝導するには、Ｉコアを経由しなければならない。ところが、ＥコアからＩコアへの熱伝導性が悪いので、Ｅコアの熱を放熱するのに、十分な放熱性能を確保できない場合がある。
【０００６】
この発明は上記の課題を解決するためになされたものであり、少なくとも一つに巻線が巻回される複数の足部を有する第１コア、及び足部の先端と相対するように配置される第２コアを備えるコア体の放熱体への取り付け構造を工夫して、第１コアの熱を放熱するのに、優れた放熱性能を得ることができる電源装置を得ることを目的とする。
【課題を解決するための手段】
【０００７】
この発明に係る電源装置は、受熱面を有する放熱体と、一面が伝熱面として構成され、伝熱面が受熱面に接するように設けられるコアベース、及びコアベースに一体に形成されて、コアベースの他面から突出され、少なくとも一つに巻線が巻回される複数の足部を有する第１コア、並びに足部を介してコアベースと相対するように設けられる第２コアを有するコア体と、放熱体に支持され、コア体の移動を規制するようにコア体に接する保持手段とを備え、第２コアは、矩形平板状をなし、一面が足部を介してコアベースの他面に相対するように配置され、保持手段は、第２コアの各側面に対応して設けられ、それぞれが第２コアの側面の少なくとも一部から足部に至るように延在し、第１コア及び第２コアのスライド移動を規制するスライド移動規制手段と、第２コアの他面に接して、第２コアとコアベースの間隔が広がる方向への第２コアの移動を規制する離反移動規制手段とを備えている。
【発明の効果】
【０００８】
この発明に係る電源装置によれば、一体もので形成されたコアベースと足部を有する第１コア、及び第２コアからなるコア体を放熱体に取り付けるのに、第１コアのコアベースを、放熱体に直接接触させている。従って、第１コアの熱は、第２コアを介することなく、放熱体に伝導されるので、高熱となりやすい第１コアの熱を放熱するのに、優れた放熱性能を得ることができる。
【図面の簡単な説明】
【０００９】
【図１】この発明の実施の形態１に係る電源装置の要部斜視図である。
【図２】この発明の実施の形態２に係る電源装置の要部斜視図である。
【図３】この発明の実施の形態３に係る電源装置の要部斜視図である。
【図４】この発明の実施の形態４に係る電源装置の要部斜視図である。
【図５】この発明の実施の形態５に係る電源装置の要部斜視図である。
【図６】この発明の実施の形態６に係る電源装置の要部斜視図である。
【発明を実施するための形態】
【００１０】
以下、この発明を実施するための最良の形態について、図面を参照して説明する。
【００１１】
実施の形態１．
図１はこの発明の実施の形態１に係る電源装置の要部斜視図である。
なお、図１では、説明の便宜上、トランスを構成する一次巻線及び二次巻線の一部を破断して図示している。
【００１２】
図１において、電源装置１Ａは、金属を材料として作製される放熱体としてのヒートシンク３と、コア体１０、及びコア体１０に巻回される二種の巻線１９ａ，１９ｂを有し、ヒートシンク３に取り付けられるトランス６とを備えている。
【００１３】
ヒートシンク３は、表面が受熱面４ａとして構成されたベースプレート４と、ベースプレート４の裏面から突出される複数のフィン５とを有している。
【００１４】
次いで、トランス６の構成について説明する。
コア体１０は、一面が伝熱面１２ａとして構成されるコアベース１２、及びコアベース１２の他面から突出する複数の足部１３ａ〜１３ｃを有する第１コアとしてのＥコア１１Ａと、複数の足部１３ａ〜１３ｃを介してコアベース１２と相対するように設けられる第２コアとしてのＩコア１５Ａとを備えている。
【００１５】
コアベース１２は矩形平板状に形成されている。
複数の足部１３ａ〜１３ｃとは、コアベース１２の長手方向の両端から突出するように設けられる一対の第１足部１３ａ，１３ｂ、及びコアベース１２の長手方向の中間部から突出する第２足部１３ｃである。コアベース１２と第１及び第２足部１３ａ〜１３ｃとは、互いの間に隙間を形成することなく一体に形成されている。
【００１６】
一対の第１足部１３ａ，１３ｂは、第２足部１３ｃを介して互いに相対するように、コアベース１２の短手方向の全域に亘って、かつ所定の厚みでコアベース１２の他面に突出されている。
また、第２足部１３ｃは、一面及び他面のそれぞれを、一対の第１足部１３ａ，１３ｂのそれぞれに相対させて、コアベース１２の短手方向の全域に亘って、かつ所定の厚みでコアベース１２の他面に突出されている。以下では、第１及び第２足部１３ａ〜１３ｃの幅方向は、コアベース１２の短手方向に一致する方向とする。
【００１７】
以上のようにコアベース１２に設けられた一対の第１足部１３ａ，１３ｂにおいて、互いに相反する方向に向けられた一対の面（外面）のそれぞれは、コアベース１２の長手方向の一方及び他方の側面のそれぞれと面一となっている。
【００１８】
Ｉコア１５Ａは、コアベース１２と同じ外形を有する矩形平板状に形成されている。
Ｉコア１５Ａは、第１及び第２足部１３ａ〜１３ｃの先端に、一面が支持されるようにＥコア１１Ａに連結されている。このように配置されるＩコア１５Ａは、第１及び第２足部１３ａ〜１３ｃを介してコアベース１２と相対する。
【００１９】
コアベース１２とＩコア１５Ａが相対する方向から見て、コアベース１２の外形縁部とＩコア１５Ａの外形縁部とが重なっている。
従って、第１及び第２足部１３ａ〜１３ｃの幅方向の両側の側面のそれぞれが、Ｉコア１５Ａの短手方向の両側の側面のそれぞれと面一になり、第１足部１３ａ，１３ｂの外面のそれぞれが、Ｉコア１５Ａの長手方向の両側の側面のそれぞれと面一になっている。
【００２０】
二種の巻線は、一次巻線１９ａ及び二次巻線１９ｂであり、それぞれ第２足部１３ｃに巻回されている。
【００２１】
次いで、トランス６の受熱面４ａへの取り付け構造について説明する。
トランス６は、コアベース１２の伝熱面１２ａが、受熱面４ａに接するようにコア体１０を受熱面４ａ上に配置して設けられる。
コア体１０は、伝熱面１２ａが受熱面４ａに密接するように受熱面４ａ上に保持されている。
以上のようにトランス６がヒートシンク３に取り付けられている。
【００２２】
この実施の形態１の電源装置１Ａによれば、受熱面４ａを有するヒートシンク３と、一面が伝熱面１２ａとして構成され、伝熱面１２ａが受熱面４ａに接するように設けられるコアベース１２、及びコアベース１２に一体に形成されてコアベース１２の他面から突出し、一次及び二次巻線１９ａ，１９ｂが巻回される第２足部１３ｃを含む複数の足部１３ａ〜１３ｃを有するＥコア１１Ａ、並びに第１及び第２足部１３ａ〜１３ｃを介してコアベース１２と相対するように設けられるＩコア１５Ａを有するコア体１０とを備えている。
【００２３】
上述したように、一次及び二次巻線１９ａ，１９ｂの巻回される第２足部１３ｃでは、放熱性が悪く、発熱しやすい。
コア体１０をヒートシンク３に取り付けるのに、一体もので形成されたコアベース１２と第１及び第２足部１３ａ〜１３ｃを有するＥコア１１Ａのコアベース１２を、直接ヒートシンク３に接触させているので、Ｅコア１１Ａで発生した熱を、Ｉコア１５Ａを介することなく、ヒートシンク３に伝導させて放熱させることができる。
【００２４】
即ち、熱伝導性の悪いＥコア１１ＡとＩコア１５Ａの連結部が、Ｅコア１１Ａからヒートシンク３への熱伝導経路に含まれることが回避されるので、Ｅコア１１Ａの熱は、スムーズにヒートシンク３に伝導されて放熱される。
これにより、電源装置１Ａによれば、巻線１９ａ，１９ｂが巻回されて、特に熱が滞留しやすい第２足部１３ｃを有するＥコア１１Ａの熱を放熱するのに、優れた放熱性能を確保できる。
【００２５】
また、従来の仕様通りに製造されたＥコア１１Ａ及びＩコア１５Ａを用いて、言い換えれば、コア体１０の設計変更を行う必要なく、Ｅコア１１Ａの放熱性を向上できる。
【００２６】
また、Ｅコア１１Ａの第１足部及び第２足部１３ａ〜ｃの先端にＩコア１５Ａが支持されるものとして説明したが、Ｉコア１５Ａは、第１及び第２足部１３ａ〜１３ｃに支持されるものによらず、第１及び第２足部１３ａ〜１３ｃの先端との間に隙間が形成されるように、ヒートシンク３に取りつけた図示しない支持部材等を介して支持されるものでもよい。第１及び第２足部１３ａ〜１３ｃとＩコア１５Ａの間に隙間を形成したものでは、Ｅコア１１ＡからＩコア１５Ａへの熱伝導性が一層低下する。第１及び第２足部１３ａ〜１３ｃとＩコア１５Ａの間に隙間があいている場合には、本願の構成とすることにより、Ｅコア１１Ａの熱を放熱する際の、ヒートシンク３への熱伝導性の改善効果が顕著に現れる。
【００２７】
実施の形態２．
図２はこの発明の実施の形態２に係る電源装置の要部斜視図である。
なお、図２において、上記実施の形態１と同一または相当部分には、同一符号を付し、その説明を省略する。また、図２では、説明の便宜上、トランスを構成する一次巻線及び二次巻線の図示を省略している。
【００２８】
図２において、電源装置１Ｂは、ヒートシンク３に支持されて、コア体１０の移動を規制する保持手段２０Ａを有する他は、電源装置１Ａと同様である。
【００２９】
保持手段２０Ａは、ヒートシンク３の受熱面４ａに突設されるスライド移動規制手段としての突設体２１ａ、及び突設体２１ａに支持されて、突設体２１ａとともにコア体１０の移動を規制する移動規制本体部２２Ａを有している。
【００３０】
突設体２１ａは、例えば、断面半円状の柱状に形成されている。即ち、突設体２１ａの長手方向に平行な外周面は、矩形形状の平面と、当該平面の平行な２辺を連結する湾曲面とにより構成される。
突設体２１ａの長さは、コアベース１２の底面から第１及び第２足部１３ａ〜１３ｃの先端までの距離より若干長くなっている。突設体２１ａには、その長手方向に孔方向が一致する図示しないネジ孔が形成されている。
【００３１】
移動規制本体部２２Ａは、正面から見て、一端を連結され、互いの間を９０度ずらして延在する４つの板状腕部２３ａを有する離反移動規制手段２３と、４つの板状腕部２３ａのうちの３つの板状腕部２３ａから、板状腕部２３ａに垂直に延出するスライド移動規制手段としての爪状規制部２４ａとを備えている。爪状規制部２４ａの板状腕部２３ａからの延出長は、言い換えれば、爪状規制部２４ａの離反移動規制手段２３との連結部からの延出長は、Ｉコア１５Ａの厚みよりも十分に長くなっている。
【００３２】
３つの爪状規制部２４ａのうちの２つが相対して配置され、当該２つの爪状規制部２４ａの間の距離は、Ｉコア１５Ａの短手方向の長さに対応している。
【００３３】
なお、爪状規制部２４ａが延出されない板状腕部２３ａの先端側の部位は、突設体２１ａに取り付けられる取付部２３ｂとして構成され、当該板状腕部２３ａの長手方向の中間部は、Ｕ字状に湾曲された湾曲部２３ｃを構成している。また、湾曲部２３ｃの底部から開口部に向かう方向は、爪状規制部２４ａの基端から先端に向かう方向に一致されている。
【００３４】
また、３つの爪状規制部２４ａが、Ｉコア１５Ａの側面のうちの３つの側面に接するように、移動規制本体部２２ＡをＩコア１５Ａに載置したとき、取付部２３ｂが、Ｉコア１５Ａの長手方向の端部から延出するようになっている。なお、取付部２３ｂには、図示しない貫通穴が形成されている。
【００３５】
次いで、保持手段２０Ａを用いたトランス６の受熱面４ａへの取り付け構造について説明する。
トランス６は、電源装置１Ａと同様に、受熱面４ａ上に配置されている。
【００３６】
突設体２１ａは、その長手方向を受熱面４ａに垂直な方向に向けて、一端を受熱面４ａに固定されている。このとき、突設体２１ａは、その外周面を構成する矩形形状の平面を、コアベース１２の長手方向の一側の側面、及び一方の第１足部１３ａの外面に接触させて設けられている。
【００３７】
そして、移動規制本体部２２Ａを、湾曲部２３ｃの開口をＩコア１５Ａの他面に向け、それぞれ、先端から爪状規制部２４ａが延出される３つの板状腕部２３ａを、Ｉコア１５Ａの他面に載置する。このとき、相対する爪状規制部２４ａのそれぞれが、Ｉコア１５Ａの短手方向の一方の側面から第２足部１３ｃの幅方向の一方の側面に至る部位、及びＩコア１５Ａの短手方向の他方の側面から第２足部１３ｃの幅方向の他方の側面に至る部位のそれぞれに接している。また、残りの爪状規制部２４ａが、Ｉコア１５Ａの長手方向の他方の側面から他方の第１足部１３ｂの外面に至る部位に接するように移動規制本体部２２Ａの向きが調整されている。
【００３８】
取付部２３ｂに形成された貫通穴にネジ２５が挿通されて、突設体２１ａのネジ孔に螺合されている。これにより、取付部２３ｂが、突設体２１ａに締着固定され、突設体２１ａを介して移動規制本体部２２Ａが、ヒートシンク３に支持される。
このとき、Ｉコア１５Ａを大きな力で板状腕部２３ａに押し付けさせるように、離反移動規制手段２３の弾性力が働いている。これにより、Ｉコア１５Ａが、コアベース１２との間の間隔を広げる方向に移動することが規制される。
以上のように配置された爪状規制部２４ａ、及び突設体２１ａにより、Ｅコア１１Ａ及びＩコア１５Ａのスライド移動が規制される。
【００３９】
この実施の形態２の電源装置１Ｂによれば、コア体１０は、電源装置１Ａの場合と同様、Ｅコア１１Ａがヒートシンク３に直接接するように取り付けられているので、特に熱が滞留しやすいＥコア１１Ａの熱を放熱するのに、優れた放熱性能を確保できる。
【００４０】
さらに、電源装置１Ｂは、Ｉコア１５Ａの各側面に対応するように設けられ、それぞれがＩコア１５Ａの側面の少なくとも一部から足部１３ａ〜１３ｃのそれぞれに至るように延在し、受熱面４ａに沿った方向へのＥコア１１Ａのスライド移動、及びＩコア１５Ａの一面及び他面に平行な方向へのＩコア１５Ａのスライド移動を規制する突設体２１ａ及び爪状規制部２４ａと、Ｉコア１５Ａの他面に接して、Ｉコア１５Ａとコアベース１２の間隔が広がる方向にＩコア１５Ａが移動することを規制する離反移動規制手段２３とを備えている。
【００４１】
従って、電源装置１Ｂによれば、Ｅコア１１ＡとＩコア１５Ａの移動が規制され、Ｅコア１１ＡとＩコア１５Ａを所定の位置に保持することができる。例えば、電源装置１Ｂでは、振動するような条件下で使用される場合でも、Ｅコア１１ＡとＩコア１５Ａの位置ずれを防止できるので、信頼性を確保できる。
【００４２】
Ｅコア１１Ａ及びＩコア１５Ａを受熱面４ａに保持手段２０Ａを用いて固定するのに、従来の仕様通りに製造されたＥコア１１Ａ及びＩコア１５Ａを使用でき、Ｅコア１１Ａ及びＩコア１５Ａの設計変更を行う必要がない。
【００４３】
また、爪状規制部２４ａと離反移動規制手段２３とが互いに連結されているので、爪状規制部２４ａと離反移動規制手段２３を、同一作業工程により、コア体１０に接触させることができる。
【００４４】
なお、この実施の形態２では、爪状規制部２４ａと離反移動規制手段２３とを互いに連結して一体に形成するものとして説明したが、爪状規制部と離反移動規制手段を、別々に作製し、コア体１０の適切な位置に接触させるようにヒートシンク３に支持させるものでもよい。
【００４５】
また、Ｉコア１５Ａの長手方向の一方の側面に対応させて設けられるスライド移動規制手段は、突設体２１ａであるものとして説明した。しかしながら、移動規制本体部２２Ａの取付部２３ｂの部分を爪状規制部２４ａとしたものを移動規制本体部としてもよい。この場合、４つの爪状規制部２４ａにより、Ｅコア１１Ａ及びＩコア１５Ａのスライド移動が規制され、突設体２１ａは省略可能となる。
【００４６】
実施の形態３．
図３はこの発明の実施の形態３に係る電源装置の要部斜視図である。
なお、図３において、上記実施の形態１，２と同一または相当部分には同一符号を付し、その説明を省略する。また、図３では、説明の便宜上、トランスを構成する一次巻線及び二次巻線の図示を省略している。
【００４７】
図３において、電源装置１Ｃは、ヒートシンク３に支持されて、コア体１０の移動を規制する保持手段２０Ｂを有する他は、電源装置１Ａと同様に構成されている。
【００４８】
保持手段２０Ｂは、コアベース１２の側面に接するように受熱面４ａ上に設けられる第１スライド移動規制手段としての突設体２１ａ，２１ｂと、移動規制本体部２２Ｂにより構成されている。
【００４９】
突設体２１ａは、電源装置１Ｂのものと同様である。
突設体２１ｂは、棒状体に形成されている。
【００５０】
移動規制本体部２２Ｂは、爪状規制部２４ａに代え、第２スライド移動規制手段としての爪状規制部２４ｂを有している他は、移動規制本体部２２Ａと同様に構成されている。
爪状規制部２４ｂの板状腕部２３ａからの延出長は、言い換えれば、Ｉコア１５Ａの各辺の縁部に配置される離反移動規制手段２３の部位からの延出長は、Ｉコア１５Ａの厚さよりも短い長さとなっている。
【００５１】
次いで、保持手段２０Ｂを用いたトランス６の受熱面４ａへの取り付け構造について説明する。
トランス６は、電源装置１Ａと同様に、受熱面４ａ上に配置されている。
突設体２１ａは、電源装置１Ｂの場合と同様に設けられている。
【００５２】
突設体２１ｂは、受熱面４ａから突出するように、受熱面４ａに固定されている。突設体２１ｂは、コアベース１２の外縁部のうち、突設体２１ａが接する辺を除く３辺に対応するように設けられている。各突設体２１ｂは、コアベース１２の側面に接するように、長手方向を、各辺の長手方向に一致させて設けられている。なお、突設体２１ｂの受熱面４ａからの高さは、コアベース１２の厚みより短く、Ｉコア１５Ａには至らない。
【００５３】
ここで、Ｉコア１５Ａに接する突設体２１ａの部位は、離反移動規制手段２３の取付部２３ｂに連結されているので、機能的に爪状規制部２４ｂとみなすことができ、また、第１足部１３ａの外面に接する突設体２１ａの部位は、機能的に突設体２１ｂと同じとみなすことができる。
【００５４】
また、突設体２１ａ，２１ｂは、トランス６のコア体１０を所定の位置に位置決めするためのガイドの役割を果たす。
【００５５】
以上のように設けられた保持手段２０Ｂについてまとめれば、突設体２１ａ，２１ｂは、受熱面４ａから突出し、かつ少なくともコアベース１２の各側面に対応するように設けられ、コアベース１２の側面に接するようにヒートシンク３の受熱面４ａに固定されているので、受熱面４ａに沿った方向へのＥコア１１Ａのスライド移動が規制される。
【００５６】
また、爪状規制部２４ｂは、Ｉコア１５Ａの各側面に対応するように設けられ、それぞれがＩコア１５Ａの側面の少なくとも一部に接している。即ち、爪状規制部２４ｂにより、Ｉコア１５Ａの一面及び他面に平行な方向へのＩコア１５Ａのスライド移動が規制される。
【００５７】
また、離反移動規制手段２３が、Ｉコア１５Ａの他面を押圧するように接しているので、Ｉコア１５Ａとコアベース１２の間隔が広がる方向に、Ｉコア１５Ａが移動することが規制される。
【００５８】
この実施の形態３の電源装置１Ｃによれば、電源装置１Ａの場合と同様、Ｅコア１１Ａがヒートシンク３に直接接するように取り付けられているので、特に熱が滞留しやすい第２足部１３ｃを有するＥコア１１Ａの熱を放熱するのに、優れた放熱性能を確保できる。
【００５９】
また、上述のように、電源装置１Ｃでは、上記のように、突設体２１ａ，２１ｂによりＥコア１１Ａのスライド移動を規制し、爪状規制部２４ｂによりＩコア１５Ａのスライド移動を規制し、離反移動規制手段２３により、Ｉコア１５Ａとコアベース１２の間隔が広がる方向に、Ｉコア１５Ａが移動することが規制される。
【００６０】
従って、電源装置１Ｃでは、Ｅコア１１Ａ及びＩコア１５Ａを所定の位置に保持できる。つまり、電源装置１Ｃでは、電源装置１Ｂと同様、振動するような条件下で使用される場合でも、Ｅコア１１ＡとＩコア１５Ａの位置ずれを防止できるので、信頼性を確保できる。
【００６１】
また、爪状規制部２４ｂと離反移動規制手段２３とが互いに連結されているので、爪状規制部２４ｂと離反移動規制手段２３を、同一作業工程により、コア体１０に接触させることができ、別々に爪状規制部と離反移動規制手段を作製してコア体１０に接触させるものに比べ、トランス６を受熱面４ａに支持させる作業が容易となる。
【００６２】
また、Ｅコア１１Ａ及びＩコア１５Ａを受熱面４ａに保持手段Ｂを用いて固定するのに、従来の仕様通りに製造されたＥコア１１Ａ及びＩコア１５Ａを使用でき、Ｅコア１１Ａ及びＩコア１５Ａの設計変更を行う必要がない。
【００６３】
なお、この実施の形態３では、Ｉコア１５Ａの長手方向の一方の側面に対応して設けられるスライド移動規制手段は、突設体２１ａの先端側の部位により構成されるものとして説明した。しかしながら、移動規制本体部２２Ｂの取付部２３ｂの部分を爪状規制部２４ｂとしたものをスライド移動規制手段としてもよい。この場合、４つの爪状規制部２４ｂにより、Ｉコア１５Ａのスライド移動が規制される。
【００６４】
また、移動規制本体部２２Ｂの代わりに、移動規制本体部２２Ａを用いてもよい。この場合、移動規制本体部２２Ａの爪状規制部２４ａ及び突設体２１ｂのそれぞれにより、Ｅコア１１Ａのスライド移動を規制するので、Ｅコア１１Ａを一層強固に受熱面４ａ上の所望の位置に保持できる。
【００６５】
実施の形態４．
図４はこの発明の実施の形態４に係る電源装置の要部斜視図である。
なお、図４において、上記実施の形態１と同一または相当部分には同一符号を付し、その説明を省略する。また、図４では、説明の便宜上、トランスを構成する一次巻線及び二次巻線の図示を省略している。
【００６６】
図４において、電源装置１Ｄは、ヒートシンク３に支持されて、コア体１０の移動を規制する保持手段２０Ｃを有する他は、電源装置１Ａと同様に構成されている。
【００６７】
保持手段２０Ｃは、移動規制体３０と、移動規制体３０を支持する支持基板３５とを備えている。
移動規制体３０は、第１腕部３２、第１腕部３２の長手方向の一端近傍及び他端近傍の部位のそれぞれに交差するようにそれぞれ設けられて、互いに平行に配置される一対の第２腕部３３を有する離反移動規制手段３１と、第１腕部３２及び第２腕部３３の端部のそれぞれから延出される爪状規制部３４ａ〜３４ｆとを備えている。
【００６８】
第１腕部３２及び第２腕部３３のそれぞれは、断面矩形の棒状体に形成されている。
第１腕部３２の長手方向と第２腕部３３の長手方向は、互いに直交している。
爪状規制部３４ａ〜３４ｆは、第１腕部３２及び第２腕部３３の長手方向に直交する方向に、第１腕部３２及び第２腕部３３から同じ方向に向けて延出されている。
【００６９】
第１腕部３２の両端から延出される爪状規制部３４ａ，３４ｂの互いの間の距離は、コアベース１２及びＩコア１５Ａの長手方向の長さに対応している。
また、一方の第２腕部３３の両端から延出される爪状規制部３４ｃ，３４ｄの互いの間の距離、及び他方の第２腕部３３の両端から延出された爪状規制部３４ｅ，３４ｆの互いの間の距離は、コアベース１２及びＩコア１５Ａの短手方向の長さに対応している。
【００７０】
支持基板３５には、Ｅコア１１Ａの第１及び第２足部１３ａ〜１３ｃを挿通させるための図示しない貫通穴が形成されている。
【００７１】
次いで、トランス６の保持手段２０Ｃを用いた受熱面４ａへの取り付け構造について説明する。
トランス６は、電源装置１Ａと同様に、受熱面４ａ上に配置されている。
支持基板３５には、第１及び第２足部１３ａ〜１３ｃが挿通されて、支持基板３５が第１及び第２足部１３ａ〜１３ｃの長手方向の所定の位置に配置されて、受熱面４ａに固定された図示しない支持部材を介してヒートシンク３に支持されている。このように設けられた支持基板３５は、コアベース１２とＩコア１５Ａとの間に配置されている。
【００７２】
保持手段２０Ｃは、Ｉコア１５Ａの他面に離反移動規制手段３１が接するように配置される。このとき、爪状規制部３４ａ，３４ｂのそれぞれが、Ｉコア１５Ａの長手方向の一方の側面から一方の第１足部１３ａの外面に至る部位、及びＩコア１５Ａの長手方向の他方の側面から他方の第１足部１３ｂの外面に至る部位のそれぞれに接するように、移動規制体３０を向ける。
【００７３】
これにより、爪状規制部３４ｃ，３４ｄのそれぞれが、Ｉコア１５Ａの短手方向の一方の側面から一方の第１足部１３ａの幅方向の一方の側面に至る部位、及びＩコア１５Ａの短手方向の他方の側面から一方の第１足部１３ａの幅方向の他方の側面に至る部位に接する。また、爪状規制部３４ｅ，３４ｆのそれぞれが、Ｉコア１５Ａの短手方向の一方の側面から他方の第１足部１３ｂの幅方向の一方の側面に至る部位、及びＩコア１５Ａの短手方向の他方の側面から他方の第１足部１３ｂの幅方向の他方の側面に至る部位に接する。
【００７４】
また、爪状規制部３４ａ，３４ｂの先端面が、支持基板３５の表面に接する位置に配置されるように、爪状規制部３４ａ，３４ｂの長さ及び支持基板３５の配置位置が設定されている。
そして、支持基板３５の裏面から支持基板３５を貫通する図示しないネジを爪状規制部３４ａ，３４ｂに螺合させることにより、移動規制体３０が支持基板３５に固定されている。
【００７５】
なお、移動規制体３０の支持基板３５への固定方法は、このものによらず、例えば、爪状規制部３４ａ，３４ｂを支持基板３５に圧入するなどして、移動規制体３０を支持基板３５に固定させてもよい。
【００７６】
この実施の形態４の電源装置１Ｄによれば、コア体１０は、電源装置１Ａと同様、Ｅコア１１Ａがヒートシンク３に直接接するように取り付けられているので、特に熱が滞留しやすい第２足部１３ｃを有するＥコア１１Ａの熱を放熱するのに、優れた放熱性能を確保できる。
【００７７】
さらに、電源装置１Ｄは、第１及び第２足部１３ａ〜１３ｃが挿通されて、Ｅコア１１Ａのコアベース１２とＩコア１５Ａとの間に配置されて固定される支持基板３５と、Ｅコア１１Ａ及びＩコア１５Ａの移動を規制する移動規制体３０とを備えている。
【００７８】
移動規制体３０は、Ｉコア１５Ａの他面に接して、コアベース１２とＩコア１５Ａとの間の間隔が広がる方向にＩコア１５Ａが移動することを規制する離反移動規制手段３１と、Ｉコア１５Ａの各側面に対して設けられ、Ｉコア１５Ａの側面から足部１３ａ〜１３ｃに至るように延在し、受熱面４ａに沿った方向へのＥコア１１Ａのスライド移動、及びＩコア１５Ａの一面及び他面に平行な方向へのＩコア１５Ａのスライド移動を規制する爪状規制部３４ａ〜３４ｆとを備えている。
【００７９】
従って、電源装置１Ｄによれば、Ｅコア１１ＡとＩコア１５Ａの移動が規制され、Ｅコア１１Ａ及びＩコア１５Ａを所定の位置に保持できる。つまり、電源装置１Ｄでは、電源装置１Ｂ，１Ｃと同様に、Ｅコア１１ＡとＩコア１５Ａの移動が規制される。電源装置１Ｂ，１Ｃと同様、電源装置１Ｄが、振動するような条件下で使用される場合でも、Ｅコア１１ＡとＩコア１５Ａの位置ずれを防止できるので、電源装置１Ｄの信頼性を確保できる。
【００８０】
また、Ｅコア１１Ａ及びＩコア１５Ａを、受熱面４ａに保持手段２０Ｃを用いて固定するのに、従来の仕様通りに製造されたＥコア１１Ａ及びＩコア１５Ａを使用でき、Ｅコア１１Ａ及びＩコア１５Ａの設計変更を行う必要がない。
【００８１】
なお、この実施の形態４では、移動規制体３０の爪状規制部３４ａ〜３４ｆは、Ｉコア１５Ａ及びＥコア１１Ａの第１足部１３ａ，１３ｂに接するように設けられるものとして説明したが、Ｉコア１５Ａのみに接するように設けてもよい。この場合、上述の突設体２１ｂをコアベース１２の側面に接するように新たに設けてＥコア１１Ａのスライド移動を規制すればよい。
【００８２】
実施の形態５．
図５はこの発明の実施の形態５に係る電源装置の要部斜視図である。
なお、図５において、上記実施の形態１と同一または相当部分には同一符号を付し、その説明を省略する。また、図５では、説明の便宜上、トランスを構成する一次巻線及び二次巻線の図示を省略している。
【００８３】
図５において、電源装置１Ｅは、ヒートシンク３に支持されて、コア体１０の移動を規制する保持手段２０Ｄを有する他は、電源装置１Ａと同様に構成されている。
保持手段２０Ｄは、押圧手段４０と、スライド移動規制手段としての枠部材４５とを備えている。
【００８４】
押圧手段４０は、支持柱４１、及び支持柱４１に取り付けられる弾性を有する離反移動規制手段としての板ばね４２を備えている。
板ばね４２は、所定幅で所定の長さを有し、長手方向の一端部に図示しない貫通穴が形成されている。
【００８５】
枠部材４５は、４つの移動規制柱４６により構成され、各移動規制柱４６は、断面Ｌ字状に形成されている。移動規制柱４６の長さは、コアベース１２から第１及び第２足部１３ａ〜１３ｃの先端面までの長さと、Ｉコア１５Ａの厚みを足した長さより若干長くなっている。
【００８６】
次いで、保持手段２０Ｄを用いたトランス６の受熱面４ａへの取り付け構造について説明する。
【００８７】
トランス６は、電源装置１Ａと同様に、受熱面４ａ上に配置されている。
支持柱４１は、コアベース１２の一方の長辺縁部の近傍に位置する受熱面４ａの部位に長手方向を受熱面４ａに直交する方向に一致させて受熱面４ａに突設されている。
【００８８】
板ばね４２の貫通穴に挿通されたネジ２５が、支持柱４１の突出端面に螺合されて、板ばね４２が、支持柱４１に締着固定されている。
このとき、板ばね４２の主要部は、Ｉコア１５Ａの他面に延在されている。また、板ばね４２の弾性力が、Ｉコア１５Ａを押さえつける方向に働くように、板ばね４２の配置位置、及び形状が考慮されている。これにより、Ｉコア１５Ａが、コアベース１２から離反する方向へ移動することが規制される。
以上のように押圧手段４０が設けられている。
【００８９】
移動規制柱４６は、コアベース１２の４つの角部に対応させて受熱面４ａに突設されている。
【００９０】
各移動規制柱４６は、コアベース１２の角部から当該角部と第１足部１３ａ（または１３ｂ）を介して相対するＩコア１５Ａの角部に至るように、受熱面４ａから突設されている。
このとき、移動規制柱４６は、長手方向を受熱面４ａに垂直な方向に一致させて設けられ、Ｌ字状に形成された移動規制柱４６の一片及び他片の面のうち、互いを臨む側に位置する面のそれぞれが、コアベース１２、第１足部１３ａ（または１３ｂ）、及びＩコア１５Ａのそれぞれの角部近傍の面に接するように配置されている。
つまり、４つの移動規制柱４６により構成される枠部材４５が、コア体１０を嵌めるための枠として機能している。枠部材４５の内側に向けられる移動規制柱４６の面が、枠部材４５の内面となり、枠部材４５の内面にコア体１０の角部のそれぞれが接する。
これにより、Ｅコア１１Ａ及びＩコア１５Ａのスライド移動が規制される。
【００９１】
この実施の形態５の電源装置１Ｅによれば、コア体１０は、電源装置１Ａと同様、Ｅコア１１Ａがヒートシンク３に直接接するように取り付けられているので、特に熱が滞留しやすい第２足部１３ｃを有するＥコア１１Ａの熱を放熱するのに、優れた放熱性能を確保できる。
【００９２】
さらに、電源装置１Ｅは、支持柱４１を介してヒートシンク３に支持されて、Ｉコア１５Ａとコアベース１２の間隔が離れる方向にＩコア１５Ａが移動するのを規制する板ばね４２と、Ｅコア１１Ａ及びＩコア１５Ａが、内面に接するように嵌められて、Ｅコア１１Ａ及びＩコア１５Ａのスライド移動を規制する枠部材４５とを備えている。
【００９３】
従って、電源装置１Ｅによれば、Ｅコア１１ＡとＩコア１５Ａの移動が規制され、Ｅコア１１Ａ及びＩコア１５Ａを所定の位置に保持できる。つまり、電源装置１Ｅでは、電源装置１Ｂ〜１Ｄと同様、振動するような条件下で使用される場合でも、Ｅコア１１ＡとＩコア１５Ａの位置ずれを防止できるので、信頼性を確保できる。
【００９４】
Ｅコア１１Ａ及びＩコア１５Ａを受熱面４ａに保持手段Ｄを用いて固定するのに、従来の仕様通りに製造されたＥコア１１Ａ及びＩコア１５Ａを使用でき、Ｅコア１１Ａ及びＩコア１５Ａの設計変更を行う必要がない。
【００９５】
なお、押圧手段４０を構成する板ばね４２は、支持柱４１に取り付けられて支持柱４１を介してヒートシンク３に支持されるものとして説明したが、板ばね４２を直接ヒートシンク３に支持させてもよい。この場合、支持柱４１は省略できる。
【００９６】
実施の形態６．
図６はこの発明の実施の形態６に係る電源装置の要部斜視図である。
なお、図６において、上記実施の形態１と同一または相当部分には同一符号を付し、その説明を省略する。また、図６では、説明の便宜上、トランスを構成する一次巻線及び二次巻線の図示を省略している。
【００９７】
図６において、電源装置１Ｆは、Ｅコア１１Ａに代え、Ｅコア１１Ｂを有し、Ｉコア１５Ａに代えＩコア１５Ｂを有し、さらに、第１スライド移動規制手段としての突設体２１ｂ、及び押圧手段４０を有している他は、電源装置１Ａと同様に構成されている。
【００９８】
突設体２１ｂは、電源装置１Ｃの突設体２１ｂと同様である。
【００９９】
また、Ｅコア１１Ｂは、第１足部１３ａ，１３ｂに代え、第１足部１３ｄ，１３ｅを有し、第２足部１３ｃに代え第２足部１３ｄを有している。第１足部１３ａ，１３ｂのそれぞれは、コアベース１２の短辺と同じ幅で、コアベース１２から所定の高さを有するようにコアベース１２に突設される矩形平板状の足部本体１４と、足部本体１４の突出端面の幅方向の両側から、足部本体１４の高さ方向に突出される一対の突出部１４ａを有している。
【０１００】
突出部１４ａは、断面矩形に形成され、足部本体１４からの高さは、Ｉコア１５Ｂの厚みに一致されている。
第１足部１３ｄ，１３ｅのそれぞれには、突出部１４ａの間に凹部１６ａが形成され、また、第１足部１３ｄ，１３ｅの一方の突出部１４ａの間、及び他方の突出部の間のそれぞれに凹部１６ｂが形成されている。
【０１０１】
第２足部１３ｃは、コアベース１２からの高さが、足部本体１４のコアベース１２からの高さに設定される他は、第２足部１３ａと同様に構成されている。
【０１０２】
各突出部１４ａは、足部本体１４の厚み方向に関し、足部本体１４の外面から半分の距離までの部位に位置している。足部本体１４の外面とは、一対の足部本体１４の互いに相反する側の面をいう。
【０１０３】
また、Ｉコア１５Ｂは、Ｉコア１５Ａの４つの角部を、突出部１４ａの断面形状に対応する形状に切り欠いた形状を有し、これにより、Ｉコア１５Ｂの一対の長辺側及び一対の短辺側には、凹部１６ａ，１６ｂに嵌められる嵌合部としての凸部１７ａ，１７ｂが形成されている。
【０１０４】
Ｉコア１５Ｂの凸部１７ａ，１７ｂが、Ｅコア１１Ｂの凹部１６ａ，１６ｂに嵌め合わされて、Ｉコア１５ＢとＥコア１１Ｂとが連結されている。
このとき、凸部１７ａ，１７ｂと凹部１６ａ，１６ｂを構成する壁面が互いに接するので、Ｅコア１１Ｂに対するＩコア１５Ｂのスライド移動が規制される。
【０１０５】
次いで、トランス６の受熱面４ａへの取り付け構造について説明する。
トランス６は、受熱面４ａにコアベース１２の伝熱面が接するようにコア体１０を配置して設けられている。
押圧手段４０が、電源装置１Ｅの場合と同様に設けられている。
これにより、Ｉコア１５Ｂが、コアベース１２との間隔を広げる方向に移動することが規制される。
【０１０６】
突設体２１ｂは、電源装置１Ｃの突設体２１ｂと同様に設けられている。
これにより、Ｅコア１１Ｂの受熱面４ａに沿った方向へのスライド移動が規制される。
【０１０７】
この実施の形態６の電源装置１Ｆによれば、電源装置１Ａの効果と同様、Ｅコア１１Ｂがヒートシンク３に直接接するように取り付けられているので、特に熱が滞留しやすい第２足部１３ｆを有するＥコア１１Ｂの熱を放熱するのに、優れた放熱性能を確保できる。
【０１０８】
さらに、電源装置１Ｆは、Ｉコア１５Ｂの他面に接して、コアベース１２とＩコア１５Ｂの間隔が広がる方向にＩコア１５Ｂが移動することを規制する板ばね４２を備えている。また、Ｅコア１１Ｂが、第１足部１３ｄ，１３ｅ及び第２の足部１３ｆの先端側に凹部１６ａ，１６ｂを有し、Ｉコア１５Ｂが、凹部１６ａ，１６ｂに、Ｅコア１１Ｂに対してスライド移動を規制されるように嵌め合わされる凸部１７ａ，１７ｂを有している。
【０１０９】
従って、電源装置１Ｆによれば、Ｅコア１１ＢとＩコア１５Ｂの移動が規制され、Ｅコア１１Ｂ及びＩコア１５Ｂを所定の位置に保持できる。つまり、電源装置１Ｆでは、電源装置１Ｂ〜１Ｄと同様、振動するような条件下で使用される場合でも、Ｅコア１１ＢとＩコア１５Ｂの位置ずれを防止できるので、信頼性を確保できる。
【０１１０】
なお、上記各実施の形態では、電源装置１Ａ〜１Ｆは、ヒートシンク３と、ヒートシンク３に取り付けられるトランス６とを備えるものとして説明したが、電源装置は、トランス６に代え、コア体１０とコア体１０の足部の何れかに巻回される巻線を有するチョークコイルを、ヒートシンク３に取り付けたものであってもよい。
【０１１１】
また、上記各実施の形態では、第１コアは３つの足部１３ａ〜１３ｃを有するＥコア１１Ａ，１１Ｂであるものとして説明したが、第１コアは、Ｅコア１１Ａであるものによらず、コアベースと、コアベースの他面に、３つ以外の複数の足が設けられているコアであってもよい。また、コアベースの外形は、矩形に限定されず、他の形状であってもよい。
【０１１２】
また、第２コアは、Ｉコア１５Ａ，１５Ｂであるものとして説明したが、第２コアは、Ｉコア１５Ａ，１５Ｂに限定されず、第１及び第２足部１３ａ〜１３ｃ，１３ｄ〜１３ｆを介して第１コアのコアベースと相対するものであれば、他の形状のコアであってもよい。
【０１１３】
なお、この実施の形態６では、嵌合部及び被嵌合部は、凹部１６ａ，１６ｂ及び凸部１７ａ，１７ｂであるものとして説明したが、例えば、嵌合部及び被嵌合部は、Ｉコアの他面に突設する凸部及び第１足部の端面に開口する穴部により構成し、穴部に凸部とを嵌め合わせるなどして、ＩコアのＥコアに対するスライド移動を規制するものでもよい。
また、凹部１６ａ，１６ｂをＥコア１１Ｂに設け、凸部１７ａ，１７ｂをＩコア１５Ａに設けるものとして説明したが、凹部をＩコアに、凸部をＥコアに設けるものであってもよい。
【符号の説明】
【０１１４】
１Ａ〜１Ｆ  電源装置、３  ヒートシンク（放熱体）、１０  コア体、１１Ａ，１１Ｂ  Ｅコア（第１コア）、１２  コアベース、１２ａ  伝熱面、１３ａ，１３ｂ，１３ｄ，１３ｅ  第１足部（足部）、１３ｃ，１３ｆ  第２足部（足部）、１５Ａ，１５Ｂ  Ｉコア（第２コア）、１６ａ，１６ｂ  凹部（被嵌合部）、１７ａ，１７ｂ  凸部（嵌合部）、２０Ａ〜２０Ｄ、２１ａ  突設体（スライド移動規制手段、第１スライド移動規制手段）、２１ｂ  突設体（第１スライド移動規制手段）、２３，３１  離反移動規制手段、２４ａ  爪状規制部（スライド移動規制手段）、２４ｂ  爪状規制部（第２スライド移動規制手段）、３５  支持基板、４５  枠部材。
【図１】
0005441948.tif 000002
【図２】
0005441948.tif 000003
【図３】
0005441948.tif 000004
【図４】
0005441948.tif 000005
【図５】
0005441948.tif 000006
【図６】
0005441948.tif 000007